【手続補正書】
【提出日】平成20年5月20日(2008.5.20)
【手続補正１】
【補正対象書類名】特許請求の範囲
【補正対象項目名】全文
【補正方法】変更
【補正の内容】
【特許請求の範囲】
【請求項１】
撮像素子と、
前記撮像素子を通じて所定のタイミング毎に取り込まれる画像データを複数画像分一時記憶するメモリ部と、
前記メモリ部に記録された複数の前記画像データを比較し、第１の閾値以上の画像変化が生じているか否かを検出する比較手段と、
前記比較手段が、前記第１の閾値以上の画像変化を検出したとき、前記メモリ部に記録された複数の前記画像データを比較し、画像変化が第２の閾値以下に収束したか否かを判断する判断手段と、
前記判断手段が、その画像変化が前記第２の閾値以下に収束したと判断したとき、前記撮像素子を通じて取り込まれる画像データを所定の記録媒体に記録する制御手段と
を備えることを特徴とする撮像装置。
【請求項２】
請求項１に記載の撮像装置であって、
前記メモリ部は、
前記撮像素子を通じて所定のタイミング毎に取り込まれる複数の画像データを一時記憶する第１のメモリ部と、
最後に撮影した画像データを一時記憶する第２のメモリ部と
を備え、
前記比較手段は、前記第１のメモリ部に記録された画像データと、前記第２のメモリに記憶されている画像データとを比較し、第１の閾値以上の画像変化が生じているか否かを検出し、
前記判断手段は、前記第１のメモリ部に記録された複数の画像データを比較し、画像変化が第２の閾値以下に収束したか否かを判断し、
前記制御手段は、前記撮像素子を通じて取り込まれる画像データを前記第２のメモリ部と前記所定の記録媒体とに記録する
ことを特徴とする撮像装置。
【請求項３】
請求項１に記載の撮像装置であって、
前記所定の記録媒体に最後に１画面分の画像データとして記録された画像データと、新たに撮影された画像データとの差分が所定値以下であるか否かを判別する判別手段を備え、
前記制御手段は、前記判別手段が、前記差分が所定値以下であると判別するとき、前記差分を、前記新たに撮影された画像データとして所定の記録媒体に記録するように制御することを特徴とする撮像装置。
【請求項４】
請求項３に記載の撮像装置であって、
前記制御手段は、１画面分の画像データと当該画像データに対する差分データとをグループ化して前記所定の記録媒体に記録するように制御することを特徴とする撮像装置。
【請求項５】
請求項１に記載の撮像装置であって、
前記比較手段と、前記判断手段とにおいて用いられる画像変化は、画像の平均的な明るさの変化であることを特徴とする撮像装置。
【請求項６】
請求項１に記載の撮像装置であって、
前記比較手段と、前記判断手段とにおいて用いられる画像変化は、画像の平均的な色調の変化であることを特徴とする撮像装置。
【請求項７】
請求項１に記載の撮像装置であって、
前記比較手段と、前記判断手段とにおいて用いられる画像変化は、比較される画像間の被写体の有無、被写体の位置の違い、被写体の向きの違いの１つ以上であることを特徴とする撮像装置。
【請求項８】
撮影条件の変化量を検出する検出手段と、
前記検出手段により検出される前記変化量が第１の閾値より大きくなった後に、第２の閾値以下に収束したか否かを判断する判断手段と、
前記判断手段が、前記変化量が前記第１の閾値より大きくなった後に、前記第２の閾値以下に収束したと判断したとき、撮像素子を通じて撮影された画像データを所定の記録媒体に記録するように制御する制御手段と
を備えることを特徴とする撮像装置。
【請求項９】
請求項８に記載の撮像装置であって、
前記所定の記録媒体に最後に１画面分の画像データとして記録された画像データと、新たに撮影された画像データとの差分が所定値以下であるか否かを判別する判別手段を備え、
前記制御手段は、前記判別手段が、前記差分が所定値以下であると判別するとき、前記差分を、前記新たに撮影された画像データとして所定の記録媒体に記録するように制御することを特徴とする撮像装置。
【請求項１０】
請求項９に記載の撮像装置であって、
前記制御手段は、１画面分の画像データと当該画像データに対する差分データとをグループ化して前記所定の記録媒体に記録するように制御することを特徴とする撮像装置。
【請求項１１】
請求項８に記載の撮像装置であって、
前記検出手段によって検出される前記変化量として、合焦距離、焦点距離、絞り値、パーン時の移動角度の内の１つ以上が用いられることを特徴とする撮像装置。
【請求項１２】
撮像素子と、前記撮像素子を通じて所定のタイミング毎に取り込まれる画像データを複数画像分一時記憶するメモリ部を備えた撮像装置において用いられる撮像方法であって、
前記メモリ部に記憶された複数の前記画像データを比較し、第１の閾値以上の画像変化が生じているか否かを検出する比較工程と、
前記比較工程において、前記第１の閾値以上の画像変化を検出したとき、前記メモリ部に記録された複数の前記画像データを比較し、画像変化が第２の閾値以下に収束したか否かを判断する判断工程と、
前記判断工程において、その画像変化が前記第２の閾値以下に収束したと判断したとき、前記撮像素子を通じて取り込まれる画像データを所定の記録媒体に記録する制御工程と
を有することを特徴とする撮像方法。
【請求項１３】
請求項１２に記載の撮像方法であって、
前記メモリ部は、
前記撮像素子を通じて所定のタイミング毎に取り込まれる複数の画像データを一時記憶する第１のメモリ部と、
最後に撮影した画像データを一時記憶する第２のメモリ部と
を備え、
前記比較工程において、前記第１のメモリ部に記録された画像データと、前記第２のメモリに記憶されている画像データとを比較し、第１の閾値以上の画像変化が生じているか否かを検出し、
前記判断工程において、前記第１のメモリ部に記録された複数の画像データを比較し、画像変化が第２の閾値以下に収束したか否かを判断し、
前記制御工程において、前記撮像素子を通じて取り込まれる画像データを前記第２のメモリ部と前記所定の記録媒体とに記録する
ことを特徴とする撮像方法。
【請求項１４】
請求項１２に記載の撮像方法であって、
前記所定の記録媒体に最後に１画面分の画像データとして記録された画像データと、新たに撮影された画像データとの差分が所定値以下であるか否かを判別する判別工程を有し、
前記制御工程においては、前記判別工程において、前記差分が所定値以下であると判別したとき、前記差分を、前記新たに撮影された画像データとして前記所定の記録媒体に記録するように制御することを特徴とする撮像方法。
【請求項１５】
請求項１４に記載の撮像方法であって、
前記制御工程においては、１画面分の画像データと当該画像データに対する差分データとをグループ化して前記所定の記録媒体に記録するように制御することを特徴とする撮像方法。
【請求項１６】
請求項１２に記載の撮像方法であって、
前記比較工程と、前記判断工程とにおいて用いる前記画像変化は、画像の平均的な明るさの変化であることを特徴とする撮像方法。
【請求項１７】
請求項１２に記載の撮像方法であって、
前記比較工程と、前記判断工程とにおいて用いる前記画像変化は、画像の平均的な色調の変化であることを特徴とする撮像方法。
【請求項１８】
請求項１２に記載の撮像方法であって、
前記比較工程と、前記判断工程とにおいて用いる前記画像変化は、比較される画像間の被写体の有無、被写体の位置の違い、被写体の向きの違いの１つ以上であることを特徴とする撮像方法。
【請求項１９】
撮影条件の変化量を検出する検出工程と、
前記検出工程において検出される前記変化量が第１の閾値より大きくなった後に、第２の閾値以下に収束したか否かを判断する判断工程と、
前記判断工程において、前記変化量が前記第１の閾値より大きくなった後に、前記第２の閾値以下に収束したと判断したとき、撮像素子を通じて撮影された画像データを所定の記録媒体に記録するように制御する制御工程と
を有することを特徴とする撮像方法。
【請求項２０】
請求項１９に記載の撮像方法であって、
前記所定の記録媒体に最後に１画面分の画像データとして記録された画像データと、新たに撮影された画像データとの差分が所定値以下であるか否かを判別する判別工程を有し、
前記制御工程においては、前記判別工程において、前記差分が所定値以下であると判別したとき、前記差分を、前記新たに撮影された画像データとして前記所定の記録媒体に記録するように制御することを特徴とする撮像方法。
【請求項２１】
請求項２０に記載の撮像方法であって、
前記制御工程においては、１画面分の画像データと当該画像データに対する差分データとをグループ化して前記所定の記録媒体に記録するように制御することを特徴とする撮像方法。
【請求項２２】
請求項１９に記載の撮像方法であって、
前記検出工程において検出する前記変化量は、合焦距離、焦点距離、絞り値、パーン時の移動角度の内の１つ以上であることを特徴とする撮像方法。
【手続補正２】
【補正対象書類名】明細書
【補正対象項目名】０００６
【補正方法】変更
【補正の内容】
【０００６】
ところで、近年のカメラ（デジタル、銀塩ともに）においては、種々の部品が電子化されて自動化が進み、自動露出（Auto Exposure）調整機能や自動焦点（Auto Focus）調整機能などの機能が一般的な機能として搭載され、誰でも露出やピントのあった写真が撮れるようになってきた。また、デジタルカメラで撮影した画像をパーソナルコンピュータに取り込んで、種々提供されるようになった写真加工ソフトで処理することによって、撮影時の露出不足などはある程度補正することもできるようになってきている。
【手続補正３】
【補正対象書類名】明細書
【補正対象項目名】００１１
【補正方法】変更
【補正の内容】
【００１１】
上記課題を解決するため、請求項１に記載の発明の撮像装置は、
撮像素子と、
前記撮像素子を通じて所定のタイミング毎に取り込まれる画像データを複数画像分一時記憶するメモリ部と、
前記メモリ部に記録された複数の前記画像データを比較し、第１の閾値以上の画像変化が生じているか否かを検出する比較手段と、
前記比較手段が、前記第１の閾値以上の画像変化を検出したとき、前記メモリ部に記録された複数の前記画像データを比較し、画像変化が第２の閾値以下に収束したか否かを判断する判断手段と、
前記判断手段が、その画像変化が前記第２の閾値以下に収束したと判断したとき、前記撮像素子を通じて取り込まれる画像データを所定の記録媒体に記録する制御手段と
を備えることを特徴とする。
【手続補正４】
【補正対象書類名】明細書
【補正対象項目名】００１２
【補正方法】変更
【補正の内容】
【００１２】
この請求項１に記載の発明の撮像装置によれば、撮像素子を通じて所定のタイミング毎に取り込むようにしている画像データが順次にメモリ部に格納される。このメモリ部は複数の画像データを記憶保持することができるものであり、順次に取り込まれる画像データによって更新され、例えば、少なくとも最新に取り込まれた画像データと、その直前に取り込まれた画像データというように、所定のタイミング毎に順次に取り込まれる新旧の画像データが常に一時記憶される。
【手続補正５】
【補正対象書類名】明細書
【補正対象項目名】００１３
【補正方法】変更
【補正の内容】
【００１３】
そして、比較手段により、撮影されてメモリ部に記録されている複数の画像データが比較され、第１の閾値以上の変化が生じているか否かが検出される。比較手段により、第１の閾値以上の変化が生じていることが検出された場合には、判断手段により、メモリ部に記録された新旧２つの画像データ間において、画像変化が第２の閾値以下に収束したか否かが判断される。判断手段により、その画像変化が第２の閾値以下に収束したと判断された場合には、制御手段の制御により、新たな画像の撮影が自動的に行われ、撮影した画像データが記録媒体に記録される。
【手続補正６】
【補正対象書類名】明細書
【補正対象項目名】００１４
【補正方法】変更
【補正の内容】
【００１４】
この後、メモリ部に記録された画像データと、所定のタイミング毎に順次に取り込まれてメモリ部に記録される画像データとの間で、順次に、比較、判断等の処理が繰り返し実行され、画像データ間の変化に応じて画像の自動撮影が行うようにされる。
【手続補正７】
【補正対象書類名】明細書
【補正対象項目名】００１６
【補正方法】変更
【補正の内容】
【００１６】
また、請求項８に記載の発明の撮像装置は、
撮影条件の変化量を検出する検出手段と、
前記検出手段により検出される前記変化量が第１の閾値より大きくなった後に、第２の閾値以下に収束したか否かを判断する判断手段と、
前記判断手段が、前記変化量が前記第１の閾値より大きくなった後に、前記第２の閾値以下に収束したと判断したとき、撮像素子を通じて撮影された画像データを所定の記録媒体に記録するように制御する制御手段と
を備えることを特徴とする。
【手続補正８】
【補正対象書類名】明細書
【補正対象項目名】００１７
【補正方法】変更
【補正の内容】
【００１７】
この請求項８に記載の発明の撮像装置によれば、種々の撮影条件が、手動または自動で調整できるようにされており、撮影条件が調整された場合に、その変化量が検出手段により連続的に検出される。この検出手段からの検出出力である変化量は、判断手段によって監視され、当該変化量が第１の閾値より大きく変化した後に、第２の閾値以下に収束した場合には、被写体を含む撮影範囲が固まったり、画質の調整が完了したり、目的とする被写体に対して合焦状態となったりするなど、目的とする被写体を撮影する状況が整ったとみなして、制御手段によって各部が制御され、自動的に撮影を行い、撮影した画像データが記録媒体に記録される。
【手続補正９】
【補正対象書類名】明細書
【補正対象項目名】００２５
【補正方法】変更
【補正の内容】
【００２５】
第１メモリ２１は、少なくとも２画像分（２画面分）の画像データを記録することが可能な記憶容量を備え、常時、最新に取り込んだ画像データと、その直前に取り込んだ画像データとの新旧２画像分の画像データを画像毎に一時記憶することができるようにしている。
【手続補正１０】
【補正対象書類名】明細書
【補正対象項目名】００２６
【補正方法】変更
【補正の内容】
【００２６】
すなわち、第１メモリ２１は、２つの画像の記憶領域を有し、一方に最新に取り込んだ画像データが記録され、他方にその直前に取り込まれた画像データが記録されている場合に、新たな画像データが取り込まれると、古い画像データが記録されている記憶領域に新たな画像データが上書きするようにされ、上述したように、常に、新旧２画像分（２画面分）の画像データを記憶保持することができるようにしている。
【手続補正１１】
【補正対象書類名】明細書
【補正対象項目名】００２７
【補正方法】変更
【補正の内容】
【００２７】
第２メモリ２３は、後述もするように、最後に撮影して記録媒体４に記録した画像データを記憶保持するもの（第２のメモリ部）である。そして、後述もするが、この第２メモリ２３に一時記憶している画像データと、第１メモリ２１に一時記憶している画像データとを比較することにより、前回撮影された画像から大きく変化した画像が取り込まれるようにされたかを判断することができるようにしている。
【手続補正１２】
【補正対象書類名】明細書
【補正対象項目名】００２８
【補正方法】変更
【補正の内容】
【００２８】
カメラＤＳＰ２の信号処理部２２は、詳しくは後述もするが、取り込んだ画像データに対して、必要な信号処理を施して、記録媒体４、ＬＣＤ５、デジタル入出力端子６に対して出力するようにしたり、記録媒体４から読み出した画像データを処理してＬＣＤ５や外部入出力端子６に対して出力したり、また、デジタル入出力端子６を通じて受け付けた画像データを処理して、記録媒体４に記録したり、ＬＣＤ５に供給したりすることができるものである。また、信号処理部２２は、撮影して記録媒体４に記録した最新の画像データを第２メモリ２３に格納する機能をも有する。
【手続補正１３】
【補正対象書類名】明細書
【補正対象項目名】００２９
【補正方法】変更
【補正の内容】
【００２９】
さらに、信号処理部２２は、差分判別部の機能を有し、先に記録されている画像の１画面分の画像データに対する新たに撮影して記録しようとしている画像の１画面分の画像データについての差分が予め決められる所定値以下である場合には、当該先に記録されている画像の１画面分の画像データに対する新たに撮影して記録しようとしている画像の１画面分の画像データについての差分を、新たに撮影して記録しようとしている画像データとして記録することができるようにしている。
【手続補正１４】
【補正対象書類名】明細書
【補正対象項目名】００３０
【補正方法】変更
【補正の内容】
【００３０】
そして、カメラＤＳＰ２の比較部２４は、詳しくは後述もするが、第２メモリ２３に記憶保持されている最後に撮影して記録媒体４に記録した画像データと、第１メモリ２１に順次に格納される画像データとを比較し、その差分を検出し、これを制御部３に通知することにより、撮影した画像と新たに取り込んだ画像との間に大きな画像変化が生じているか否かを判別することができるようにしている。
【手続補正１５】
【補正対象書類名】明細書
【補正対象項目名】００３１
【補正方法】変更
【補正の内容】
【００３１】
また、比較部２４は、第２メモリ２３に一時記憶されている撮影済みの画像と新たに取り込むようにした画像との間で大きな画像変化が生じた後において、第１メモリ２１に一時記憶されている新旧の画像データを比較し、その差分を検出して、これを制御部３に通知することにより、画像間に生じた画像変化が予め決められた値以下に収束したか否かを判別することができるようにしている。
【手続補正１６】
【補正対象書類名】明細書
【補正対象項目名】００４２
【補正方法】変更
【補正の内容】
【００４２】
なお、第１メモリ２１に画像データを記録する場合には、上述もしたように、古い画像データが記録されている記憶領域に記録するようにされ、ＣＣＤ１２を通じて取り込んだ新旧２画像分（２画面分）の画像データが第１メモリ２１に記憶保持するようにされる。
【手続補正１７】
【補正対象書類名】明細書
【補正対象項目名】００４４
【補正方法】変更
【補正の内容】
【００４４】
そして、ユーザーによって、操作部７のシャッターボタンが押下操作され、画像の撮影が指示された場合には、制御部３はカメラＤＳＰ２を制御し、現在、カメラ部１を通じて取り込んでＬＣＤ５に表示している画像データを、第２メモリ２３に一時記憶すると共に、これを記録媒体４に記録する。なお、画像データの記録媒体４の記録に際しては、当該画像データを所定のデータ圧縮方式でデータ圧縮して記録することもできるようにされる。
【手続補正１８】
【補正対象書類名】明細書
【補正対象項目名】００４５
【補正方法】変更
【補正の内容】
【００４５】
このように、ＬＣＤ５に表示される被写体の画像を確認しながら、ユーザーがシャッターチャンスの到来を判断し、シャッターボタンを押下操作したタイミングで制御部３が各部を制御し、目的とする被写体の画像を撮影して、その画像データを第２の記録部としてのメモリ部２３に一時記憶すると共に、記録媒体４にも記録して保持することができるようにしている。
【手続補正１９】
【補正対象書類名】明細書
【補正対象項目名】００４７
【補正方法】変更
【補正の内容】
【００４７】
そして、手動調整モードの場合にも、ユーザーによってシャッターボタンが押下操作されたタイミングにおいて、カメラ部１を通じて取り込み、カメラＤＳＰ２によって処理された画像データを記録媒体４に記録することができるようにされる。
【手続補正２０】
【補正対象書類名】明細書
【補正対象項目名】００５７
【補正方法】変更
【補正の内容】
【００５７】
これら第１、第２、第３の事象が発生した場合に、ユーザーによってシャッターボタンが押下操作されなくても自動的に撮影を行う。そして、第１の事象の検出は、図１に示したこの実施の形態の撮像装置のカメラＤＳＰ２に設けられた比較部２４の機能により、第２メモリ２３に格納された最後に撮影された画像データと、第１メモリ２１に順次に格納される最新の画像データとの差分を求めて監視することにより、画像の変化の発生から収束までの一連の事象を検出するようにしている。
【手続補正２１】
【補正対象書類名】明細書
【補正対象項目名】００６０
【補正方法】変更
【補正の内容】
【００６０】
この実施の形態の撮像装置の場合には、電源がオンにされると、カメラ部１を通じて所定のタイミング毎に取り込まれる画像データが、カメラＤＳＰ２の第１メモリ２１に順次に書き込まれ、信号処理部２２で処理されて、ＬＣＤ５の表示画面に表示される。そして、自動的に、あるいは、ユーザーによってシャッターボタンが押下操作された場合において、まず、最初の画像として、そのときカメラ部１を通じてとらえ、ＬＣＤ５に表示している画像、すなわち、この図２に示す例の場合には、図２Ａに示した状態の画像を撮影する。これにより、図２Ａに示した画像データは、図２Ｂに示すように、この実施の形態の撮像装置の記録媒体４に記録されると共に、カメラＤＳＰ２の第２メモリ２３にも一時記憶される。
【手続補正２２】
【補正対象書類名】明細書
【補正対象項目名】００６１
【補正方法】変更
【補正の内容】
【００６１】
そして、ユーザーがカメラの向きを少し変え、ズームを調整することにより、図２Ｃに示すように、被写体である２人の人物ともファインダー視野内に収めるようにするとともに、樹木の一部分もファインダー視野内に収めるようにしたとする。この場合、カメラ部１を通じて新たに取り込まれ第１メモリ２１に一時記憶された画像データは、図２Ｃに示した構図のものである。
【手続補正２３】
【補正対象書類名】明細書
【補正対象項目名】００６２
【補正方法】変更
【補正の内容】
【００６２】
この場合、カメラＤＳＰ２の比較部２４は、第２メモリ２３に一時記憶されている画像データであって、図２Ｂに示した画像を形成する画像データと、最新に第１のメモリに一時記憶された画像データであって、図２Ｃに示した画像を形成する画像データとを比較する。
【手続補正２４】
【補正対象書類名】明細書
【補正対象項目名】００６３
【補正方法】変更
【補正の内容】
【００６３】
比較部２４における比較処理は、例えば、画像データの明るさ（輝度）成分の差分値を算出し、これを制御部３に供給する。制御部３は、比較部２４からの差分値が予め決められた第１の閾値以上であり、比較的に大きな画像変化が生じていると判断したときには、カメラＤＳＰ２の比較部２４を制御して、カメラ部１を通じて所定のタイミング毎に順次に取り込まれて、第１メモリ２１に一時記憶される新旧２つの画像データ同士を順次に比較する。
【手続補正２５】
【補正対象書類名】明細書
【補正対象項目名】００６４
【補正方法】変更
【補正の内容】
【００６４】
上述もしたように、第１メモリ２１は少なくとも２画像分（２画面分）の画像データを記録することができるものであり、所定のタイミング毎に順次に取り込まれる画像データが、記録されたタイミングが古い画像データが記録されている記録領域に上書きするようにされる。これにより、結果として、最新に取り込まれた画像データと、その直前に取り込まれた画像（最新の画像が取り込まれた１つ前のタイミングで取り込まれた画像）の画像データとを常に第１メモリ２１に一時記憶することができる。
【手続補正２６】
【補正対象書類名】明細書
【補正対象項目名】００６５
【補正方法】変更
【補正の内容】
【００６５】
そこで、カメラＤＳＰ２の比較部２４は、新たに取り込まれる画像データが第１メモリ２１に記録される毎に、新旧２つの画像データを比較する。この場合の比較処理もまた、第１メモリ２１に一時記憶されている新旧２つの画像データの明るさ（輝度）の差分値を算出するものであり、ここで算出された差分値は制御部３に供給される。
【手続補正２７】
【補正対象書類名】明細書
【補正対象項目名】００６６
【補正方法】変更
【補正の内容】
【００６６】
制御部３は、第１メモリ２１に一時記憶されている新旧２つの画像データの差分値が予め決められた第２の閾値以下となった場合、すなわち、図２Ｃに示した画像の状態から大きく変化しなくなったために、比較対象の画像間の差分が小さくなった場合には、画像変化は収束したと判断し、カメラ部１、カメラＤＳＰ２等の各部を制御して、図２Ｃに示すように、現時点において、カメラ部１を通じて取り込んだ画像を撮影するようにし、図２Ｄに示すように、その撮影した画像データを第２メモリ２３と記録媒体４とに記録する。
【手続補正２８】
【補正対象書類名】明細書
【補正対象項目名】００６７
【補正方法】変更
【補正の内容】
【００６７】
これにより、最後に撮影して第２メモリ２３と記録媒体４とに記録した画像データと比較して、カメラ部１を通じて新たに取り込んだ画像が大きく変化した場合には、その画像変化が収束したことを検出したタイミングで、画像変化の収束後の画像を、ユーザーがシャッターボタンを押すなどの操作を介在させることなく撮影して記録媒体に記録することができる。
【手続補正２９】
【補正対象書類名】明細書
【補正対象項目名】００７９
【補正方法】変更
【補正の内容】
【００７９】
［撮影時の画像データの差分記録について］
そして、撮影した画像データを記録媒体４に記録する場合に、この最新に撮影して得た画像データの全部を記録するのではなく、直近に１画面分の全データを記録した基本画像（たとえば、図２Ｂの画像）に対する最新に撮影して得た画像データについての差分を求め、これを撮影して得た画像データとして記録媒体４に記録する。このようにすることによって、記録データ量を抑制し、記録媒体４の効率的な利用を促進することができる。
【手続補正３０】
【補正対象書類名】明細書
【補正対象項目名】００８７
【補正方法】変更
【補正の内容】
【００８７】
したがって、制御部３が、光学ブロック１１に対する調整量に応じた合焦距離、焦点距離、絞り値などの変化量を把握することができ、この把握された変化量が予め決められた第１の閾値以上であった場合に、撮影条件の変化が発生したと判断し、その後にこれら合焦距離、焦点距離、絞り値などの変化量が第２の閾値以下になった場合には、撮影条件の変化が収束したと判断して、自動撮影を行うようにすることができる。
【手続補正３１】
【補正対象書類名】明細書
【補正対象項目名】００９５
【補正方法】変更
【補正の内容】
【００９５】
ステップＳ１０２の判断処理において、電源が投入されてから一定時間経過した、あるいは、ユーザーによってシャッターボタンが押下されたと判断したときには、制御部３は、カメラ部１、カメラＤＳＰ２を制御して、現在とらえている画像を撮影するようにし、カメラ部１を通じて最新に第１メモリに記録した画像データを記録媒体４と第２メモリ２３とに記録する（ステップＳ１０３）。
【手続補正３２】
【補正対象書類名】明細書
【補正対象項目名】００９６
【補正方法】変更
【補正の内容】
【００９６】
そして、制御部３は、カメラＤＳＰ２を制御し、カメラＤＳＰ２の比較部２４により、第１メモリ２１に一時記憶されたカメラ部１を通じて最新に取り込んだ画像データと、第２メモリ２３に一時記憶されている最後に撮影した画像データとを比較する処理を行うようにする（ステップＳ１０４）。このステップＳ１０４の比較処理は、上述もしたように、明るさ（輝度）、色調、各画素のＲＧＢ値を用いた差分検出、あるいは、画像認識処理を用いた差分検出を行う処理である。
【手続補正３３】
【補正対象書類名】明細書
【補正対象項目名】００９７
【補正方法】変更
【補正の内容】
【００９７】
そして、制御部３は、比較部３からの比較結果の通知を受けて、比較対象の画像間に予め決められた第１の閾値以上の大きな画像変化が生じているか否かを判断する（ステップＳ１０５）。ステップＳ１０４の判断処理において、大きな画像変化は生じていないと判断したときには、ステップＳ１０４からの処理を繰り返し、新たに取り込んだ画像と最後に撮影した画像との間で比較処理を行うようにする。
【手続補正３４】
【補正対象書類名】明細書
【補正対象項目名】０１００
【補正方法】変更
【補正の内容】
【０１００】
ステップＳ１０７の判断処理において、画像変化は収束したと判断したときには、制御部３は、カメラ部１、カメラＤＳＰ２を制御して、現在とらえている画像を撮影するようにし、カメラ部１を通じて最新に第１メモリに記録した画像データを記録媒体４と第２メモリ２３とに記録する（ステップＳ１０８）。これにより、第２メモリに一時記憶される画像が変わったことになる。
【手続補正３５】
【補正対象書類名】明細書
【補正対象項目名】０１０８
【補正方法】変更
【補正の内容】
【０１０８】
ステップＳ２０６の判断処理において、撮影条件の変化が収束していないと判断したときには、撮影条件の監視処理を続行し、ステップＳ２０６の処理を繰り返すようにする。また、ステップＳ２０６の判断処理において、撮影条件の変化が収束したと判断したときには、制御部３は、カメラ部１、カメラＤＳＰ２を制御して、現在とらえている画像を撮影するようにし、カメラ部１を通じて最新に第１メモリに記録した画像データを記録媒体４と第２メモリ２３とに記録する（ステップＳ２０７）。これにより、第２メモリに一時記憶される画像が変わったことになる。
【手続補正３６】
【補正対象書類名】明細書
【補正対象項目名】０１１８
【補正方法】変更
【補正の内容】
【０１１８】
ステップＳ３０６の判断処理において、ジャイロ８の検出出力が収束していないと判断したときには、ジャイロ８の検出出力の監視処理を続行し、ステップＳ３０６の処理を繰り返すようにする。また、ステップＳ３０６の判断処理において、ジャイロ８の検出出力が収束したと判断したときには、制御部３は、カメラ部１、カメラＤＳＰ２を制御して、現在とらえている画像を撮影するようにし、カメラ部１を通じて最新に第１メモリに記録した画像データを記録媒体４と第２メモリ２３とに記録する（ステップＳ３０７）。これにより、第２メモリに一時記憶される画像が変わったことになる。
【手続補正３７】
【補正対象書類名】図面
【補正対象項目名】図３
【補正方法】変更
【補正の内容】
【図３】
2007028123.tif 000001